(57)【要約】      （修正有）【課題】眼鏡フレームのテンプルに纏わる垂直方向の寸法を不要として機器の低床化を果すと共に、光学精度と操作性の信頼性を果たすことが可能な、レンズチェッカーまたはレンズメーターを提供する。【解決手段】眼鏡レンズ及び丸レンズ等を被検レンズＭＬとし、これ等に対応するＸ軸スライダー部材９，１０とＹ軸スライダー部材１３，１４とからなる被検レンズの保持機構１を、光学機器装置本体２ａにおける光軸と交叉する平面内に配置し、眼鏡フレームのテンプルＭＴを上方に立ち上げた状態で機械的に保持し、かつ少なくともＸ軸方向への移動操作自在とした。【選択図】図２
2020046242.tif 000002
【特許請求の範囲】
【請求項１】
眼鏡フレームに枠入れされた眼鏡レンズ及び未加工の丸レンズを被検レンズとする光学
機器装置にして、眼鏡フレーム及び丸レンズ共用の保持機構は、眼鏡フレームのテンプル
を上方に立ち上げた状態で保持する一方、丸レンズは下方に凸面を向けて夫々機械的に保
持するよう構成され、かつこの保持機構は光学機器装置本体の光軸に対して交叉する平面
内において、少なくともＸ軸方向にスライド操作自在に構成されてなり、当該保持機構を
光学機器装置本体における所定位置に一体的に具備したことを特徴とする光学機器装置。
【請求項２】
眼鏡フレームに枠入れされた眼鏡レンズを被検レンズとする保持機構が、保持対象であ
る眼鏡レンズを、少なくともＸ軸方向にスライド操作自在に保持するために、所定の間隔
を保ち互いに平行に配置されてＸ軸方向に伸延したスライドシャフトと、これ等各Ｘ軸方
向スライドシャフトの夫々に、第一と第二のＸ軸スライダー部材を摺動自在に設けると共
に、当該第一と第二のＸ軸スライダー部材間に跨るように上記Ｘ軸方向スライドシャフト
と直交関係の下にＹ軸方向スライドレール部材を取り付け、このＹ軸方向スライドレール
部材には、第一のＸ軸スライダー部材側の端部に眼鏡レンズフレーム受部を形成した第一
のＹ軸スライダー部材を摺動自在に組合せ、更に当該第一のＹ軸スライダー部材に対し、
眼鏡フレームの鼻当て部に対応するノーズピース受部を形成した第二のＹ軸スライダー部
材を重ね合せて相対的に摺動移動可能に組合せ、かつ当該第二のＹ軸スライダー部材のノ
ーズピース受部材を前記第一のＹ軸スライダー部材の眼鏡レンズフレーム受部に向けて付
勢するための第一付勢バネ、及び第一のＹ軸スライダー部材を前記第一のＸ軸スライダー
部材方向の所定の位置へと付勢するための第二付勢バネを設けて、上記眼鏡レンズフレー
ム受部とノーズピース受部により眼鏡フレームを、そのテンプルが上方に立ち上げられた
状態で機械的に保持可能になし、更に上記第一のＹ軸スライダー部材を第二付勢バネに抗
してＹ軸に沿い、またスライドシャフトに案内されてＸ軸に沿い、夫々移動操作自在に構
成されてなる眼鏡レンズ専用の保持機構として構成され、当該眼鏡レンズ専用の保持機構
を光学機器本体の所定位置に具備したことを特徴とする請求項１記載の光学機器装置。
【請求項３】
眼鏡フレームに枠入れされた眼鏡レンズ及び未加工の丸レンズを被検レンズとする保持
機構が、保持対象である形態の異なる被検レンズを何れも、少なくともＸ軸方向にスライ
ド操作自在に保持するために、所定の間隔を保ち互いに平行に配置されてＸ軸方向に伸延
したスライドシャフトと、これ等各Ｘ軸方向スライドシャフトの夫々に、第一と第二のＸ
軸スライダー部材を摺動自在に設けると共に、当該第一と第二のＸ軸スライダー部材間に
跨るように上記Ｘ軸方向スライドシャフトと直交関係の下にＹ軸方向スライドレール部材
を取り付け、このＹ軸方向スライドレール部材には、第一のＸ軸スライダー部材側の端部
に眼鏡レンズフレーム受部及び丸レンズの外周の一部を受容する丸レンズ受部を形成した
第一のＹ軸スライダー部材を摺動自在に組合せ、更に当該第一のＹ軸スライダー部材に対
し、眼鏡フレームの鼻当て部に対応するノーズピース受部及び丸レンズの外周の一部を受
容する丸レンズ受部を形成した第二のＹ軸スライダー部材を重ね合せて相対的に摺動移動
可能に組合せ、かつ当該第二のＹ軸スライダー部材のノーズピース受部材を前記第一のＹ
軸スライダー部材の眼鏡レンズフレーム受部に向けて付勢するための第一付勢バネ、及び
第一のＹ軸スライダー部材を前記第一のＸ軸スライダー部材方向の所定の位置へと付勢す
るための第二付勢バネを設けて、上記眼鏡レンズフレーム受部とノーズピース受部により
眼鏡フレームを、そのテンプルが上方に立ち上げられた状態で機械的に保持可能になす一
方、上記第一のＹ軸スライダー部材における丸レンズ受部と第二のＹ軸スライダー部材に
おける丸レンズ受部により丸レンズを同様に保持可能になし、更に上記第一のＹ軸スライ
ダー部材を第二付勢バネに抗してＹ軸に沿い、またスライドシャフトに案内されてＸ軸に
沿い、夫々移動操作自在に構成されてなる眼鏡レンズ及び丸レンズ共用の保持機構として
構成され、当該共用の保持機構を光学機器本体の所定位置に具備したことを特徴とする光
学機器装置。
【請求項４】
眼鏡フレームに枠入れされた眼鏡レンズ及び加工前の丸レンズ等を被検レンズとし、そ
の表面または裏面を観察または検査するための光学機器装置であって、被検レンズを背面
から照射するための光源と、被検レンズに照射した光束を受光して撮像するための撮像手
段からなる観察光学系を採用し、この観察光学系を内蔵してなる光学機器装置本体の前面
において、眼鏡フレームをそのテンプルが上方に立ち上げられた状態のまま機械的に保持
可能になす一方、丸レンズも同様に保持可能になし、これ等の被検レンズを平面的に少な
くともＸ軸方向に移動操作自在になして、眼鏡レンズ及び丸レンズ共用の保持機構として
、光学機器本体における観察光学系の光軸に対し交叉する関係の下に取付けて一体的に構
成したことを特徴とするレンズチェッカー、または共用の保持機構が請求項３項記載の保
持機構であることを特徴とするレンズチェカー。
【請求項５】
眼鏡フレームに枠入れされた眼鏡レンズを被検レンズとし、そのレンズの度数等の光学
特性を測定するための光学機器装置であって、被検レンズを背面から透射するための光源
と、被検レンズを透過した透過光束を受光して光学特性を測定する測定演算手段かならる
測定光学系を採用し、この測定光学系を内蔵してなる光学機器装置本体の前面において、
眼鏡フレームをそのテンプルが上方に立ち上げられた状態のまま機械的に保持可能になす
と共に、被検レンズの眼鏡レンズを平面的に少なくともＸ軸方向に移動操作自在になして
、眼鏡レンズ専用の保持機構として、光学機器本体における測定光学系光軸に対して交叉
する関係の下に取付けて一体的に構成したことを特徴とするレンズメーター、または専用
の保持機構が請求項２項記載の保持機構であることを特徴とするレンズメーター。
【発明の詳細な説明】
【技術分野】
【０００１】
本発明は、眼鏡フレームに枠入れされた眼鏡レンズ並びに加工前の丸レンズ等の被検レ
ンズを機械的に保持すると共に、殊に眼鏡フレームの眼鏡ヅル（テンプル）部分を上方に
立てた状態で保持したまま、少なくとも平面的にＸ軸方向に調節移動自在な被検レンズの
保持機構を具備して成る光学機器装置に関する。
【背景技術】
【０００２】
眼鏡フレームに枠入れされた眼鏡レンズや枠入れ加工前の丸レンズについて、これ等の
被検レンズ表面のキズや汚れ、或いは隠しマーク等の観察や或いは外観品質の検査をする
ためのレンズチェッカーや、これ等被検レンズの度数等の光学特性を測定するためのレン
ズメーター、及び測定後の印点付与機構付きレンズメーターなどがこの種光学分野におい
て多用されているが、これ等の光学機器装置においては、その被検レンズを載置するため
のレンズ載置台を装置本体に突設しているのが一般的である。
そのため殊に、眼鏡フレームに枠入れされた眼鏡レンズを被検レンズとする場合には、装
置の基台に突設したレンズ載置台に眼鏡レンズをセットする際に、眼鏡フレームにおける
眼鏡ヅル（テンプル）を下向きに垂下させた状態でレンズ載置台の載置面に眼鏡レンズが
当接するようにセットすることとなり、この眼鏡ヅル（テンプル）の長さに相当する寸法
以上の高さ位置において、レンズ載置面を設けるために必要な高さ寸法が決定されている
のが実情で、装置全体の高さ寸法が大きい装置となっていた。
【０００３】
また、この種の光学機器装置においては、被検レンズの形態の差異、即ち眼鏡フレーム
に枠入れされた眼鏡レンズか未加工の丸レンズかの種類に合わせて、それぞれ対応する被
検レンズの保持機構を具備した光学機器装置を取り揃えている場合が一般的であり、その
ため設備費用が嵩むことが避けられないのが実情であった。
【先行技術文献】
【特許文献】
【０００４】
上記した如く、この種の光学機器装置を代表するレンズメーターにおいては、例えば下
記の特許文献１を参照して説明するに、モニターテレビ２を光学測定部３の上方に設けて
なる測定装置本体１の正面中央部には、光学測定部３を構成するために突出（膨出）させ
られた上部収納部４と、その下方に対向させて突出（膨出）させられた下部収納部５が設
けられていると共に、下部収納部５の上面に突出固定された裁頭円錐筒状のレンズ受６及
び測定光学系１０が設けられ、未加工の被検レンズＬを測定する場合は、公報図面の図３
に示されている如き状態にて被検レンズの測定を行い、また、メガネ７０のメガネフレー
ム７１に枠入れされた左右のレンズ７２、７３を測定する場合は、公報図面の図１３に示
す如く、作業者は、まずメガネフレーム７１における眼鏡ヅルを下方に垂下した状態に左
手８１で保持して鼻当７４、７４を鼻当支持部材３２に当接すると共に、メガネフレーム
７１におけるレンズ７２、７３の下端を当接部材３１に向けて押し付け、測定側のレンズ
７２を下部収納部５上面のレンズ受け６に当接させるよう人手により保持しつつ、右手８
０でレバー３６を回動操作して測定光軸に対する前後方向の位置を調整すると共に、左右
方向の位置調整は左手８１を左右に移動して調整する。
即ち、この先行特許文献１のレンズメーターでは、先にも述べたように、光学機器装置本
体の前面に突設された下部収納部５を利用して、メガネフレーム７１の眼鏡ヅル（テンプ
ル）部分が下方に垂れ下がっても影響のないように高さ方向の寸法を確保しているので、
その分装置本体１の高さ方向の大型化を伴うものであり、装置の低床化並びに小型化を図
る際の障害となりコンパクトにできなかった。
加えてこの先行文献のものは、メガネフレーム７１を水平に保持することと、測定光軸に
合わせて被検レンズ７２、７３を前後左右に移動させて位置調整することについて、作業
者は左右の両手８０、８１を駆使して保持と調整と言う異なる操作を行わねばならないの
で、作業者は操作に対する熟練を要求されるばかりでなく、位置合わせ精度の面において
も正確性に劣ってしまうと言う、光学機器装置としてみたときに致命的な欠陥を伴うもの
に過ぎなかった。
【０００５】
またこの種のレンズメーターであって、眼鏡Ｓの左右のレンズＡ、Ｂの光軸間距離の測
定機能を備えた装置の事例として、例えば下記の特許文献２が知られているが、この場合
も測定装置本体の前面に突設された膨出部の上面に設けたノーズピース（レンズ載置台）
２にメガネＳのフレーム下部を受け台１に押し当てて人手により保持し、メガネフレーム
のサイドに押し当てる当て板５を利用して、レンズＡ、Ｂの光軸中心間距離を目盛りから
み取る機能を備えたものであが、この場合も公報図面の図１からも明らかなように、上記
先行特許文献１におけると同様に、メガネフレームの左右の眼鏡ヅル（テンプル）部分を
下方に垂れ下げた状態のまま人手により保持しているので、装置の高さ方向の大型化を伴
うものであり、装置の低床化とコンパクト化を果すことができないばかりか、メガネＳの
水平保持に関しても、前記先行特許文献１におけると同様に作業者の熟練度が要求される
ことに加え、光学機器としての精度上の欠陥を免れないものであった。
【０００６】
更にこの種の光学機器としてのレンズメーターにおける被検レンズの機械的な保持機構
として注目した場合、未加工の丸レンズと眼鏡フレームに枠入れされた眼鏡レンズとの双
方の被検レンズに対する機械的な保持機構の代表的な先行事例として、例えば下記の特許
文献３が知られているが、この場合も先の先行特許文献１及び特許文献２におけると同様
に被検レンズ４を載置するためのレンズテーブル５３２が張り出されて突設されている一
方で、公報図面の第１２図に開示されている如く、眼鏡フレームのレンズ枠ＦＲをハンド
片６００、６０１の上面６０５ｃに載せてテンプルＦＴ（眼鏡ヅル）が下方に向けられた
状態のまま、ハンド片６００、６０１の外側面６０５ｄにて眼鏡フレームの左右方向への
位置を規制し、レンズテーブル５３２の上面におけるレンズ受部材５４１に対して、眼鏡
レンズ４を機械的に保持する構成のため、前記先行特許文献１、２におけると同様に、装
置の高さ方向の低床化とコンパクト化を果すことができないものである。
そして、この先行例の特徴とするところは、公報図面の第７（Ａ）図乃至第１０（Ａ）図
に詳細に開示されている如く、被検レンズ４を保持するための左右一対の挟持用ハンド５
３０、５３１を支えるアーム５２６、５２７が交差構造（シザーズ機構）に組合わされて
いると共に、これ等のハンドアーム５２６、５２７を開閉させて未成形の被検レンズ４を
挟持する駆動系としてのアームモーター５２２とタイミングベルト５２５が設けられ、然
もこれ等のアーム部材５２６、５２７、５３０、５３１を支えるアームベース５２０を水
平状態を保ったまま、Ｘ軸方向に移動させるための駆動系としてのＸ軸送りネジ５０８ａ
とガイドレール５０８ｂ及びそのＸ軸モータ５０４と、これ等をフランジ５０３ａｂごと
Ｙ軸方向へ移動させるための駆動系としてのＹ軸送りネジ５０５とガイドレール５０７及
びそのＹ軸モータ５０２と、更にはこれ等をＺ軸テーブル５０１ごとＺ軸方向へ移動する
ためのＺ軸送りネジ５０５等を三次元的に複雑に組み合わせてなる被検レンズ保持装置が
開示されているが、これ等は機構が複雑であるばかりでなく、丸レンズ４を保持するため
に必要な操作要領と、眼鏡フレームＦＭを保持するために必要な操作要領に関し、これ等
の操作を行うための、上記アーム部材に関係する各部品の動作要領が全く逆であるため、
作業者による操作要領に混乱を来すものであると共に、誤操作を防止する観点からみても
好ましいものではなかった。
即ち、未成形の丸レンズ４を水平に保持する場合は、上記に述べたようにハンド５３０、
５３１の内側面６０５ａ、６０５ｂを互いに近接する方向に移動操作して未成形レンズ４
を挟持し保持するのに対し、眼鏡フレームＦＭを水平に保持する場合には、左右のハンド
片６００、６０１の各上面６０５ｃにより左右の眼鏡フレームＦＭを受けると共に、左右
のハンド片６００、６０１の外側面６０５ｄを互いに離間する方向に移動操作し、眼鏡フ
レームＦＭのテンプルＦＴを外側に広げるようにして保持するので、これ等の被検レンズ
の形態の違い基づく操作方向の違いにより、作業者に誤操作を招く恐れがあるばかりでな
く、同時に機械的な構成上の複雑さとも相俟って光学機器装置の操作性と操作精度に問題
を抱えたものに過ぎなかった。
【０００７】
【特許文献１】特開平８−２９２９２号公報
【特許文献２】特開平３−２５５３３０号公報
【特許文献３】特開昭６１−１２０９４０号公報
【発明の概要】
【発明が解決しようとする課題】
【０００８】
本発明は、眼鏡フレームに枠入れされた眼鏡レンズや加工前の丸レンズについて、これ
等の被検レンズ表面のキズや汚れ、或いは隠しマーク等を観察するための（外観品質検査
も含む）レンズチェッカーまたは、これ等被検レンズの度数等の光学特性を測定するため
のレンズメーター、及び測定と印点機構を具備して成るレンズメーターなど、この種の光
学分野において多用されている光学機器装置において、一般的に多用されていた被検レン
ズのためのレンズ載置台に起因した前記先行特許文献１乃至３における如き種々の不都合
を解消するためになされたものである。
以下これを添付図１を参照しつつ要約的に説明するに、図１に示す従来のレンズメーター
２０においては、上部にディスプレイ画面２０ａを有すると共に、機器本体の基部２０ｂ
に突設された光源側光学系を収容する下部収容支持部２１に対し、測定光学系を構成する
受光側光学系を収容した上部収容部２２が対向配置され、下部収容支持部２１の上面には
眼鏡フレームＭＦに枠入れされた眼鏡レンズＭＬを当接載置するための被検レンズ載置台
２３が更に突設されており、眼鏡レンズＭＬの測定に際し、上記の被検レンズ載置台２３
に対して眼鏡フレームＭＦのテンプルＭＴを下方に垂下させた状態で眼鏡レンズＭＬを当
接載置させると共に、本体側のフレーム受２４にレンズフレーム部を押し当てつつ人手に
により保持する方式が一般的に多用されている。
ところが、この従来の下部収容支持部２１とレンズ載置台２３からなる構造を使用する方
式では、これ等レンズ載置台２３のために必要とされている高さ方向の寸法により、光学
機器装置全体としての大型化を回避し、更に装置の低床化及びコンパクト化を果すことが
明らかにできないものであり、未加工の丸レンズを測定する場合には、上記のテンプルＭ
Ｔの長さ寸法に対応する高さ寸法自体が、好ましくないデッドスペースとなってしまうも
のであった。
従って、本発明は、殊に眼鏡フレームに枠入れされた眼鏡レンズを被検レンズとする場合
においても有利なように、従来眼鏡フレームのテンプルを下向きに垂下させるのに必要と
されていた、テンプルの長さに相当する装置の高さ寸法を低くすること、即ち装置の基台
から上方に突設されたレンズ載置台に代わる全く新しい眼鏡フレームの機械的な保持機構
を提案し、光学機器装置の低床化及びコンパクト化を図ると言う技術的解決課題を果すこ
とを可能にするだけでなく、眼鏡フレームに枠入れされた眼鏡レンズを被検レンズとし、
更にその眼鏡フレームのテンプルを上方に向けて立てたまま少なくともＸ軸方向へ平面的
に調節移動操作自在な、眼鏡フレーム専用の保持機構を具備してなる一般的な光学機器装
置を提供するだけでなく、延いては、光学に関する個別の機能を有する小型で低床化され
たレンズチェッカーまたはレンズメーターを提供することにある。
【０００９】
またこの種の光学機器装置においては、一般的に装置一台の価格が高額であるために、
被検レンズの異なる形態ごとに対応する光学機器装置を取り揃えることは費用が嵩み難し
いので、例えば、眼鏡フレームに枠入れされた眼鏡レンズを観察または測定することがで
きるだけでなく、加工前の丸レンズについても、同一の光学機器装置にて同様に観察や測
定をすることが可能な光学機器装置の開発が切望されており、そのために異なる形態の被
検レンズであっても機械的に保持可能であると同時に、被検レンズについてその同一平面
内における移動と保持に関する正確な精度が確保され、然もその移動操作等に関する操作
性が簡単であることが必須条件として要求されていたので、これらの要求を達成可能で然
も異なる形態の被検レンズ用の保持機構として、眼鏡フレームに枠入れされた眼鏡レンズ
及び未加工の丸レンズの双方に対応可能な全く新しい機械的な保持機構を提案し、従来形
式のレンズ載置台を廃止することは勿論のこと、光学機器装置の低床化及びコンパクト化
を図ると言う技術的解決課題を果すだけでなく、更には形態の異なる被検レンズであって
もこれらを少なくともＸ軸方向へ平面的に調節移動操作自在な、眼鏡レンズ及び丸レンズ
共用の保持機構を具備してなる安価な光学機器装置を提供するだけでなく、延いては光学
に関する個別の機能を有する小型で低床化された精度の良いレンズチェッカーまたはレン
ズメーターを安価に提供することにある。
【課題を解決するための手段】
【００１０】
本発明の第一の特徴は、従来の光学装置におけるような被検レンズの載置台を廃止する
ための新たな被検レンズの保持機構を採用し、眼鏡フレームに枠入れされた眼鏡レンズ及
び未加工の丸レンズを被検レンズとする光学機器装置において、眼鏡フレーム及び丸レン
ズ共用の保持機構は、眼鏡フレームのテンプルを上方に立ち上げた状態のまま保持する一
方、丸レンズは下方に凸面を向けて夫々機械的に保持するよう構成され、かつこの保持機
構は光学機器本体の光軸に対して交叉する平面内において、少なくともＸ軸方向にスライ
ド操作自在に構成されてなり、当該保持機構を光学機器本体における所定位置に具備した
ことを特徴とするものである。
【００１１】
そして、上記被検レンズの保持機構に関する特徴として、本発明においては、従来にお
けるような被検レンズの載置台に代わる新しい被検レンズの保持機構として、殊に、眼鏡
フレームに枠入れされた眼鏡レンズを被検レンズとする保持機構が、保持対象である眼鏡
レンズを、少なくともＸ軸方向にスライド操作自在に保持するために、所定の間隔を保ち
互いに平行に配置され、Ｘ軸方向に伸延したスライドシャフトと、これ等各Ｘ軸方向スラ
イドシャフトの夫々に、第一と第二のＸ軸スライダー部材を摺動自在に設けると共に、当
該第一と第二のＸ軸スライダー部材間に跨るように上記Ｘ軸方向スライドシャフトと直交
関係の下にＹ軸方向スライドレール部材を取り付け、このＹ軸方向スライドレール部材に
は、第一のＸ軸スライダー部材側の端部に眼鏡レンズフレーム受部を形成した第一のＹ軸
スライダー部材を摺動自在に組合せ、更に当該第一のＹ軸スライダー部材に対し、眼鏡フ
レームの鼻当て部に対応するノーズピース受部を形成した第二のＹ軸スライダー部材を重
ね合せて相対的に摺動移動可能に組合せ、かつ当該第二のＹ軸スライダー部材のノーズピ
ース受部材を前記第一のＹ軸スライダー部材の眼鏡レンズフレーム受部に向けて付勢する
ための第一付勢バネ、及び第一のＹ軸スライダー部材を前記第一のＸ軸スライダー部材方
向の所定の位置へと付勢するための第二付勢バネを設けて、上記眼鏡レンズフレーム受部
とノーズピース受部により眼鏡フレームを、そのテンプルが上方に立ち上げられた状態の
まま機械的に保持可能になし、更に上記第一のＹ軸スライダー部材を、第二付勢バネに抗
してＹ軸に沿い、またスライドシャフトに案内されてＸ軸に沿い、夫々移動操作自在に構
成されてなる眼鏡レンズ専用の保持機構として構成され、当該眼鏡レンズ専用の保持機構
を光学機器本体の所定位置に具備したことを特徴とするものである。
【００１２】
また、上記被検レンズの保持機構に関する特徴として、本発明においては、従来におけ
るような被検レンズの載置台に代わる新しい被検レンズの保持機構として、殊に、眼鏡フ
レームに枠入れされた眼鏡レンズ及び未加工の丸レンズ等を被検レンズとする保持機構が
、保持対象である形態の異なる被検レンズを何れも、少なくともＸ軸方向にスライド操作
自在に保持するために、所定の間隔を保ち互いに平行に配置されたＸ軸方向スライドシャ
フトと、これ等各Ｘ軸方向スライドシャフトの夫々に、第一と第二のＸ軸スライダー部材
を摺動自在に設けると共に、当該第一と第二のＸ軸スライダー部材間に跨るように上記Ｘ
軸方向のスライドシャフトと直交関係の下にＹ軸方向スライドレール部材を取り付け、こ
のＹ軸方向のスライドレール部材には、第一のＸ軸スライダー部材側の端部に眼鏡レンズ
フレーム受部及び丸レンズの外周の一部を受容する丸レンズ受部を形成した第一のＹ軸ス
ライダー部材を摺動自在に組合せ、更に当該第一のＹ軸スライダー部材に対し、眼鏡フレ
ームの鼻当て部に対応するノーズピース受部及び丸レンズの外周の一部を受容する丸レン
ズ受部を形成した第二のＹ軸スライダー部材を重ね合せて相対的に摺動移動可能に組合せ
、かつ当該第二のＹ軸スライダー部材のノーズピース受部材を前記第一のＹ軸スライダー
部材の眼鏡レンズフレーム受部に向けて付勢するための第一付勢バネ、及び第一のＹ軸ス
ライダー部材を前記第一のＸ軸スライダー部材方向の所定の位置へと付勢するための第二
付勢バネを設けて、上記眼鏡レンズフレーム受部とノーズピース受部により眼鏡フレーム
を、そのテンプルが上方に立ち上げられた状態のまま機械的に保持可能になす一方、上記
第一のＹ軸スライダー部材における丸レンズ受部と第二のＹ軸スライダー部材における丸
レンズ受部により丸レンズを同様に保持可能になし、更に上記第一のＹ軸スライダー部材
を、第二付勢バネに抗してＹ軸に沿い、またスライドシャフトに案内されてＸ軸に沿い、
夫々移動操作自在に構成されてなる眼鏡レンズ及び丸レンズ共用の保持機構として構成さ
れ、当該形態の異なる被検レンズに対する共用の保持機構を、光学機器本体の所定位置に
具備したことを特徴とするものである。
【００１３】
更に、本発明においては、その光学機器装置における光学的な特性により、例えば、被
検レンズ表面のキズや汚れ、或いは隠しマーク等を観察する（外観品質検査も含む）こと
ができるように、殊に眼鏡フレームに枠入れされた眼鏡レンズ及び加工前の丸レンズ等の
被検レンズの表面または裏面を観察するための光学系として、被検レンズを背面から照射
するための光源と、被検レンズを照射した光束を受光して撮像するための撮像手段からな
る観察光学系を採用し、この観察光学系を内蔵してなる光学機器本体の前面において、眼
鏡フレームを、そのテンプルが上方に立ち上げられた状態のまま機械的に保持可能になす
一方、丸レンズも同様に保持可能になし、これ等の被検レンズを平面的に少なくともＸ軸
方向に移動操作自在になして、眼鏡レンズ及び丸レンズ共用の保持機構として、光学機器
本体における観察光学系の光軸に対し交叉する関係の下に取付けて構成したことを特徴と
し、または共用の保持機構がＸ軸スライダー部材とＹ軸スライダー部材から構成されてい
ることを特徴とする所謂レンズチェッカーであることを特徴とするものである。
【００１４】
また更に、本発明においては、その光学機器装置における光学的な特性により、例えば
、被検レンズの度数等の光学特性を測定することができるように、殊に眼鏡フレームに枠
入れされた眼鏡レンズを被検レンズとしてその光学特性を測定するための光学系として、
被検レンズを背面から透射するための光源と、被検レンズを透過した透過光束を受光して
光学特性を測定する測定演算手段からなる測定光学系を採用し、この測定光学系を内蔵し
てなる光学機器本体の前面において、眼鏡フレームをそのテンプルが上方に立ち上げられ
た状態のまま機械的に保持可能になすと共に、被検レンズの眼鏡レンズを平面的に少なく
ともＸ軸方向に移動操作自在になして、眼鏡レンズ専用の保持機構として、光学機器本体
における測定光学系の光軸に対して交叉する関係の下に取付けて構成したことを特徴とし
、または専用の保持機構がＸ軸スライダー部材とＹ軸スライダー部材から構成されている
ことを特徴とする所謂レンズメーターであることを特徴とするものである。
【発明の効果】
【００１５】
本発明は、従来の光学機器装置におけるような被検レンズの載置台に代わる新しい被検
レンズの保持機構を提案するものであり、眼鏡フレームに枠入れされた眼鏡レンズおよび
未加工の丸レンズを被検レンズとし、眼鏡フレームに枠入れされた眼鏡レンズまたは丸レ
ンズを夫々直接的にかつ機械的に保持するための被検レンズの保持機構を設けて、少なく
とも眼鏡フレームのテンプルを上方に立ち上げた状態で機械的に保持し、更に、この保持
機構は光学機器装置本体の光軸に対して交叉する平面内において少なくともＸ軸方向にス
ライド操作自在に構成されてなり、当該保持機構を具備して成ることを特徴とする光学機
器装置である限り、光学機器装置としての低床化とコンパクト化を確実に果たすことがで
きると共に、被検レンズを機械的に保持することができるので、その操作性の向上が保証
されるばかりでなく、操作と被検レンズの移動に関する安定した精度を得ることができ、
光学機器としての信頼性の高いものを提供できるのである。
更に、形態の異なる被検レンズとして、眼鏡フレームに枠入れされた眼鏡レンズと未加工
の丸レンズの何れにも、一台の光学機器装置でありながら対応することができるので、前
記したレンズ載置台にかかわる従来技術の欠点を改善することができることは勿論のこと
、特に異なる形態の被検レンズへの対応が一台で可能であると言うことは、光学機器の設
備費用にかかわる経済的観点においても極めて有利であり、また光学機器の設置スペース
も少なくて済む等、経済性と実用性に優れた光学機器装置を提供できるものである。
【００１６】
特にまた、被検レンズが眼鏡フレームに枠入れされた眼鏡レンズに限定される場合であ
っても、その保持機構が光学機器装置本体の光軸に対して交叉する平面内において少なく
ともＸ軸方向にスライド操作自在に構成された被検レンズの保持機構として、所定の間隔
を保ち互いに平行に配置されたＸ軸方向スライドシャフトと、これ等各Ｘ軸方向スライド
シャフトの夫々に、第一と第二のＸ軸スライダー部材を摺動自在に設けると共に、当該第
一と第二のＸ軸スライダー部材間に跨るように上記Ｘ軸方向スライドシャフトと直交関係
の下にＹ軸方向スライドレール部材を取り付け、このＹ軸方向スライドレール部材には、
第一のＸ軸スライダー部材側の端部に眼鏡レンズフレーム受部を形成した第一のＹ軸スラ
イダー部材を摺動自在に組合せ、更に当該第一のＹ軸スライダー部材に対して眼鏡フレー
ムの鼻当て部に対応するノーズピース受部を形成した第二のＹ軸スライダー部材を重ね合
せて相対的に摺動移動可能に組合せ、かつ当該第二のＹ軸スライダー部材のノーズピース
受部材を前記第一のＹ軸スライダー部材の眼鏡レンズフレーム受部に向けて付勢するため
の第一付勢バネ、及び第一のＹ軸スライダー部材を前記第一のＸ軸スライダー部材方向の
所定の位置へと付勢するための第二付勢バネを設けて、上記眼鏡レンズフレーム受部とノ
ーズピース受部により眼鏡フレームを、そのテンプルが上方に立ち上げられた状態で機械
的に保持可能になし、更に上記第一のＹ軸スライダー部材を、第二付勢バネに抗してＹ軸
に沿い、またスライドシャフトに案内されてＸ軸に沿い、夫々移動操作自在に眼鏡レンズ
専用の保持機構が構成されてなり、当該眼鏡レンズ専用の保持機構を光学機器装置本体に
具備したことを特徴とするので、被検レンズの載置台と眼鏡ヅル（テンプル）に起因した
高さ方向の寸法を不要にできるので、その分光学装置としての低床化と小型化を果たすこ
とができる優れた効果を発揮することは言うまでもない。
また、被検レンズの保持機構として、機械的に眼鏡フレームを確実に保持することができ
ると共に、その保持したままの状態で平面的に少なくともＸ軸方向に自在に然も精度よく
、かつ容易に位置合わせ操作することができるので、光学機器装置としての測定精度や操
作性の向上を併せて大幅に改善することが可能で、極めて実用的に有用な優れた効果を併
せて発揮できるものである。
【００１７】
また、本発明の優れた特徴的な構成と効果について更に付言するならば、従来の光学機
器におけるような被検レンズの載置台を廃止することが可能なことは勿論のこと、殊に眼
鏡フレームに枠入れされた眼鏡レンズまたは未加工の丸レンズなどの形態の異なる被検レ
ンズに対し、何れの場合であってもこれ等を直接的にかつ機械的に保持可能な被検レンズ
の保持機構として、所定の間隔を保ち互いに平行に配置されたＸ軸方向スライドシャフト
と、これ等各Ｘ軸方向スライドシャフトの夫々に、第一と第二のＸ軸スライダー部材を摺
動自在に設けると共に、当該第一と第二のＸ軸スライダー部材間に跨るように上記Ｘ軸方
向のスライドシャフトと直交関係の下にＹ軸方向スライドレール部材を取り付け、このＹ
軸方向スライドレール部材には、第一のＸ軸スライダー部材側の端部に眼鏡レンズフレー
ム受部及び丸レンズの外周の一部を受容する丸レンズ受部を形成した第一のＹ軸スライダ
ー部材を摺動自在に組合せ、更に当該第一のＹ軸スライダー部材に対して眼鏡フレームの
鼻当て部に対応するノーズピース受部及び丸レンズの外周の一部を受容する丸レンズ受部
を形成した第二のＹ軸スライダー部材を重ね合せて相対的に摺動移動可能に組合せ、かつ
当該第二のＹ軸スライダー部材のノーズピース受部を前記第一のＹ軸スライダー部材の眼
鏡レンズフレーム受部に向けて付勢するための第一付勢バネ、及び第一のＹ軸スライダー
部材を前記第一のＸ軸スライダー部材方向の所定の位置へと付勢するための第二付勢バネ
を設けて、上記眼鏡レンズフレーム受部とノーズピース受部により眼鏡フレームを、その
テンプルを上方に立ち上げた状態で機械的に保持可能になす一方、上記第一のＹ軸スライ
ダー部材における丸レンズ受部と第二のＹ軸スライダー部材における丸レンズ受部により
丸レンズを同様に機械的に保持可能になし、更に上記第一のＹ軸スライダー部材を、第二
付勢バネに抗してＹ軸に沿い、またスライドシャフトに案内されてＸ軸に沿い、夫々移動
操作自在に構成された眼鏡レンズ及び丸レンズ共用式の保持機構が構成されてなり、当該
眼鏡レンズ及び丸レンズ共用式の保持機構を光学機器装置本体に具備したことを特徴とす
るので、眼鏡ヅルに起因した高さ方向の寸法を不要にすることができ、その分光学機器装
置としての低床化と小型でコンパクトな構成の装置を可能にすることは勿論である。
また、上記の被検レンズの保持機構は、機械的に眼鏡フレーム及び丸レンズをほぼ水平状
に確実に保持することができると共に、当該保持平面内でＸＹ軸方向に自在に然も精度よ
く、かつ容易に何れの形態の被検レンズであっても位置合わせ操作することができるので
、光学機器装置の測定精度や操作性の向上を併せて大幅に改善することが可能で、光学機
器装置として実用的にも優れた効果を発揮できるものである。
更に、本発明の眼鏡レンズ及び丸レンズ共用の保持機構は、これを光学機器装置の保持機
構として採用した場合には、光学機器装置として異なる形態の被検レンズにも対応可能に
でき、一台の光学機器装置でありながら二種類の被検レンズに対する光学機器を兼ねるこ
とができることとなり、光学設備として大幅なコスト削減を図ることが可能であって、経
済的にも優位な廉価型の装置を提供することが可能になるのである。
【００１８】
更に、以上に述べた本発明の眼鏡レンズ専用の保持機構、または眼鏡レンズ及び丸レン
ズ共用の保持機構を、夫々例えば光学機器装置本体に内蔵された光学系の違いにより、例
えば被検レンズの観察光学系を備えた装置に具備することにより、具体的な光学機器とし
て小型コンパクトで精度と操作性の良い優れたレンズチェッカーを提供することができ、
一方印点機構を具備する他、別途に被検レンズの測定光学系を備えた装置に具備させた場
合には、具体的な光学機器として小型コンパクトで測定精度と操作性の良い優れたレンズ
メーターを提供することができる。
また、光学機器装置としての操作性においても、何れの被検レンズの保持機構においても
優れた機能を享受でき、即ち、機械的な保持効果と平面的なＸ軸方向の操作精度が向上さ
れ、光学機器装置として観察及び測定精度の優れた装置とすることができることは言うま
でもない。
然も、装置全体としてみても汎用性のある装置として、これを廉価に構成できるので、経
済性にも優れた装置とすることができ、実用性に秀でた装置を提供できるのである。
【図面の簡単な説明】
【００１９】
【図１】図１は、従来の一般的なレンズメーターの説明用外観図。
【図２】図２は、本発明の眼鏡レンズ及び丸レンズ共用の保持機構を採用してなる              レンズチェッカーの外観図である。
【図３】図３は、本発明の眼鏡レンズ及び丸レンズ共用の保持機構の模式的な説明用平面図。
【図４】図４は、本発明における第一と第二のＹ軸スライダー部材の積層組合せ関係を示すための説明用斜視図。
【図５】図５は、図３に対応させて眼鏡フレームを保持した状態を表す平面図。
【図６】図６は、図３に対応させて丸レンズを保持した態を表す平面図。
【発明を実施するための形態】
【００２０】
本発明の実施例について、光学機器装置としてレンズチェッカーへの適用事例を示した
図２と、図３乃至図５に示した眼鏡レンズ及び丸レンズを被検レンズとする保持機構部分
の拡大図の事例を参照しつつ、以下その技術的な構成と作動要領などについて説明するこ
ととする。
図２は、光学機器装置として観察光学系を内蔵してなる装置本体部２ａの前面部に、本発
明にかかる眼鏡レンズ及び丸レンズ共用の保持機構１を取付けて構成されたレンズチェッ
カーの全体構成を表す説明用斜視図であり、装置本体部２ａにおける基台２ｂの中央にお
いてセット保持された被検レンズ（図示実施例の場合は眼鏡フレームＭＦに枠入れされた
眼鏡レンズＭＬが被検レンズとなる）は、その背面側から光源部３に依る照明光を受光し
、この光源部３からの照明光束を受けたレンズＭＬの透過光或いは散乱光などの画像を、
光源部３に対して対向配置された受光部４により撮像し、この画像データを図示してない
ＰＣなどのディスプレイ画面に拡大表示して、被検レンズの表面又は背面における隠しマ
ーク或はキズや汚れなどの画像を観察するものであり、これ等の構成と作用は一般的に知
られているレンズメーターの機能と基本的に変わりはないが、本実施例における特徴とす
るところは、以下に詳述する眼鏡レンズ及び丸レンズ共用の保持機構１を、装置本体部２
ａの前面において観測光学系の光軸に対して略直交関係若しくは適度な交叉角度を持つ平
面的な関係の下に取付けてなることである。
【００２１】
なお、図２では光学機器装置として観察光学系を内蔵してなるレンズチェッカーの実施
例を示したが、光学機器装置として被検レンズに対する測定用光源を設け、被検レンズの
透過光束を受光し、その光学データから被検レンズの度数等の光学特性を演算処理する如
き測定光学系を備えた、所謂レンズメーター（図示せず）であっても、同様に光学機器装
置本体の前面部に本発明にかかる眼鏡レンズ用の保持機構１（ただし後述の丸レンズ受容
部分を除いたもの）を採用することができることは言うまでもなく可能であり、本発明の
技術的範囲に含まれること勿論である。
また、眼鏡フレームＭＦに枠入れされた眼鏡レンズＭＬと未加工の丸レンズＳＬなどの異
なる形態の被検レンズに適応可能なことを特徴とする本発明においては、その眼鏡レンズ
及び丸レンズ共用の保持機構１の実施例の一つとして、図３にその概略的な構成要素の事
例を示した平面図において、例えば図中５ａ、５ｂの支持フレームは、本被検レンズの保
持機構１を構成する要素の一部であると共に、保持機構部分を光学機器装置本体に取り付
けるための取付け部材にもなるものであるが、因みにこの支持フレーム５ａ、５ｂの形状
は、図示実施例では簡易的な形状を示したものであり、図示の形状に拘束されるものでは
ないことは勿論、その他図３などに開示されている各構成部品の形状も、後述の図４の斜
視図に示すようなデザイン化された形状にすることもできるものであり、発明の本質的な
構成要件を逸脱しない範囲でその形状変更を行うことは自由である。
【００２２】
そして、上記した支持フレーム５ａ、５ｂに対して、所定の間隔を隔てて互いに平行に
配置されたＸ軸方向スライドシャフト６ａ、６ｂと、これ等のスライドシャフト６ａ、６
ｂのそれぞれに第一のＸ軸スライダー部材９及び第二のＸ軸スライダー部材１０を摺動自
在に設けると共に、当該第一と第二のＸ軸スライダー部材９、１０間に跨って、上記Ｘ軸
方向のスライドシャフト６ａ、６ｂと直交関係を保ちつつＹ軸方向スライドレール部材１
１を取付け、更にこのスライドレール部材１１には、眼鏡レンズフレーム受部７ａ、７ａ
と丸レンズＳＬの外周の一部を受容する丸レンズ受部８ａを自身の先端部（先の第一のＸ
軸スライド部材９側の先端部）に形成してなる第一のＹ軸スライダー部材１３を、その本
体部分とも言うべき断面凹型の長手方向に延びたガイド溝部が形成された長尺本体部分の
下面部において摺動自在に組合せ、この第一のＹ軸スライダー部材１３の平面的な全体形
状は、例えば図示のように略Ｔ字型を呈している。
加えて、当該第一のＹ軸スライダー部材１３に対して、眼鏡フレームＭＦの鼻当て部ＮＰ
に対応するノーズピース受部１２及び上記丸レンズ受部に対向して丸レンズＳＬの外周の
一部を受容する丸レンズ受部８ｂを先端部に形成した第二のＹ軸スライダー部材１４を、
自身の基部下面に断面凸型に形成したガイド突部において上記第一のＹ軸スライダー部材
１３のガイド凹溝に嵌合させ、これ等両スライダー部材１３と１４を重ね合わせるように
組合せて互いに積層状態のまま相対的に摺動移動可能にされていることを特徴とする。
【００２３】
即ち、これ等の第一と第二のＹ軸スライダー部材１３、１４は、例えば図４からも理解
されるように、スライドレール部材１１に沿って摺動自在に組み合わされた長尺箱型本体
部を有する第一のＹ軸スライダー部材１３に対し、小形にした嵌合摺動部をもつ第二のＹ
軸スライダー部材１４が二段に重ね合わされて言わば引き出し状に互いに相対移動可能に
され、かつ後者のＹ軸スライダー部材１４は前者のＹ軸スライダー部材１３との間に介在
された第一付勢バネ１５により、常に先端部のノーズピース受部１２を前者に形成された
眼鏡フレーム受部７ａ、７ａ及び丸レンズ受部８ａに接近するよう第一のＸ軸スライダー
部材９の方向に付勢されていると共に、前者のＹ軸スライダー部材１３についても、第二
のＸ軸スライダー部材１０の延長摘み部１０ａとの間に介在された第二付勢バネ１６によ
り、常に前者のＹ軸スライダー部材１３を第二のＹ軸スライダー部材１４ごと第一のＸ軸
スライダー部材１０の方向の所定の位置へ向けて押付けるようにセットされていることを
特徴としている。
なお、図中１３ａと１４ａは、夫々第一のＹ軸スライダー部材１３に設けられた操作用摘
み部と第二のＹ軸スライダー部材１４に設けられた操作用摘み部を示し、これ等の操作用
摘み部１３ａと１４ａを用いた構成と操作要領を説明するに、前者の操作用摘み部１３ａ
を第二付勢バネ１６に抗してスライドレール１１に沿い手前に移動させることにより、第
一と第二のＹ軸スライダー部材１３と１４の間にセットされた被検レンズ（眼鏡フレーム
に枠入れされた眼鏡レンズＭＬ或いは丸レンズＳＬの何れであってもよい）のＹ軸方向の
位置を調節操作することができ、また後者の操作用摘み部１４ａを第一付勢バネ１５の反
発力に抗して圧縮しつつ第一のＹ軸スライダー部材１３に沿って第二のＹ軸スライダー部
材１４を移動させることにより、その先端部に形成したノーズピース受部１２及び丸レン
ズ受部８ｂをＹ軸方向に後退移動させ、眼鏡フレームＭＦまたは丸レンズＳＬの何れかを
機械的に保持操作可能に構成されていることを特徴とする。また、図中１７は光源３の照
射光の光量調節摘みを示す。
【００２４】
更に本発明においては、上記した被検レンズの保持機構１の構成により、前記図２及び
図５に示すように、眼鏡フレームＭＦの眼鏡ヅルＭＴを上方に向けて立ち上げたままの状
態で眼鏡フレームを例えば略水平状態に保持することができるので、従来一般的に採用さ
れていたレンズ載置台を用いることなく眼鏡フレームＭＦを機械的に保持することができ
ると共に、レンズ載置台と眼鏡ヅルＭＴに付随して今まで必要とされてきた高さ方向の寸
法について、これを全く必要とせず無用にできるので、該当する光学機器装置（図２の実
施例の場合はレンズチェッカー）の高さ方向の低床化を可能にし、かつ装置全体としても
小型化を達成することができ、光学機器装置としても設置スペースを取らない有利な構成
とすることができるのである。
【００２５】
以上の如く構成された本発明にかかる被検レンズの保持機構１を備えた図２のレンズチ
ェッカーにおける、Ｘ軸方向とＹ軸方向の操作要領について、以下簡単に説明することと
する。
まず、眼鏡フレームＭＦに枠入れされた左右の眼鏡レンズＭＬをＸ軸方向へ移動操作する
場合、第一のＹ軸スライダー部材１３の眼鏡フレーム受部７ａ、７ａと、第二のＹ軸スラ
イダー部材１４のノーズピース受部材１２により眼鏡フレームＭＦを図５に示すように保
持した状態で、第二のＸ軸スライダー部材１０に設けられた延設部分の摘み部１０ａを指
先で掴み、手動で左右方向に移動操作することにより、眼鏡フレームＭＦに枠入れされた
左右の眼鏡レンズを交互に観察光学系の光軸に一致させるべく切換え操作することができ
、同一平面内におけるＸ軸方向の位置調整のためのスライド操作が簡単かつ容易に、然も
精度よく行うことができるので、本被検レンズの保持機構１を光学機器装置に組み込むこ
とにより、光学機器装置としての性能向上と、操作性の向上を同時に果すことができる優
れた効果を発揮できるものとなり、実用的にも優れた装置を提供することができる。
またこのスライド操作の際に眼鏡フレームＭＦの眼鏡ヅルＭＴは上方に立ち上げられたま
まの状態にあるので、支持フレーム５ａ、５ｂに接触することもなく、また上方の受光部
４ともフレーム枠内の移動で済むため干渉することもない。
【００２６】
一方、同様に図５の如く眼鏡フレームＭＦに枠入れされた左右の眼鏡レンズＭＬを保持
したまま、必要に応じて僅かにＹ軸方向へ移動操作する場合は、眼鏡フレームＭＦを第一
と第二のＹ軸スライダー部材１３と１４で保持した状態で、第一のＹ軸スライダー部材１
３の端部に延設された操作用摘み部１３ａを指先で掴んで第二付勢バネ１６に抗して手前
に引くように移動操作することにより、Ｙ軸方向のスライドレール部材１１に沿って第二
のＹ軸スライダー部材１４と共に第一のＹ軸スライダー部材１３をＹ軸方向に適宜移動さ
せることができるので、観察光学系の光学軸に対するＹ軸方向の位置調整のためのスライ
ド操作が簡単かつ容易に、然も精度よく行うことができるのである。なお、上方に立ち上
げられた状態のままの眼鏡ヅルＭＴは先の場合と同様に、受光部４に対する障害になるこ
とはない。
また、必要がなければＹ軸方向の移動操作はしないが、眼鏡レンズ中心と後述の丸レンズ
中心の位置関係は、これ等被検レンズの大きさにより異なるので、何れかのレンズ中心を
光軸に合わせるような場合には、上記の操作をすれば良い。
【００２７】
以上、本発明の保持機構１を眼鏡フレームＭＦに枠入れされた眼鏡レンズを被検レンズ
とする場合について説明したが、本発明のもう一つの大きな特徴は、枠入れされた眼鏡レ
ンズを被検レンズとすることに限られるものではなく、図示実施例からも明らかなように
、上記保持機構１は、未加工の丸レンズＳＬを被検レンズとすることもできるので、以下
にその構成と作動並びに作用効果を説明することとする。
即ち、未加工の丸レンズＳＬを被検レンズとする場合には、図６にその平面図を示すよう
に、第一のＹ軸スライダー部材１３には、眼鏡レンズフレーム受部７ａ、７ａの他にこの
眼鏡フレームの厚さやノーズピースＮＰに伴う寸法差に相当する僅かな段差をもって丸レ
ンズＳＬの外周部の一部を受容する丸レンズ受部８ａが、また、第二のＹ軸スライダー部
材１４には、ノーズピース受部１２の他に僅かな段差をもって丸レンズＳＬの外周の一部
を受容する丸レンズ受部８ｂが夫々形成されているので、付勢バネ１５に抗してＹ軸スラ
イダー部材１４を摘み部１０ａの方向に引き寄せることにより、第一のＹ軸スライダー部
材１３と第二のＹ軸スライダー部材１４の間隔を広げて、各々の丸レンズ受部８ａと８ｂ
との間で丸レンズＳＬを図６のように確実に水平保持することができるものであり、この
丸レンズＳＬのＸ軸方向及びＹ軸方向へのスライド移動操作要領は、先に述べた眼鏡レン
ズを被検レンズとした場合の操作要領と全く同様であるので、詳細は省略する。
因みに、丸レンズＳＬを図６に示すように平面的に保持した際には、Ｙ軸スライダー部材
１３を支えるＹ軸方向スライドレール部材１１が丸レンズＳＬの中心位置に介在すること
になるが、観察しようとする隠しマーク自体がレンズ中心にマーキングされておらず、一
般的には丸レンズ周縁部付近に存在するので、これを観察するには影響がなく、観察作業
の障害になることはない。
【００２８】
叙上のように、本発明の保持機構１は、それ自体が単一の被検レンズの保持機構１であ
りながら、形態の異なる眼鏡フレームＭＦに枠入れされた眼鏡レンズ及び未加工の丸レン
ズＳＬの双方の被検レンズの保持機構としての必要十分な機能を果たすことができると言
うことは、これを光学機器装置として組付け採用することにより、単一の光学機器装置で
ありながら、種々の被検レンズに対応した汎用性のある光学機器装置（殊にレンズチェッ
カー）とすることができるので、従来高価な光学機器装置を被検レンズの異なる形態ごと
に設ける必要が無くなり、機能的に優れた光学機器装置（殊にレンズチェッカー）を廉価
に提供することができ、その経済的メリットは極めて大きいものである。
なお、図示した本発明の保持機構１は、異なる形態の被検レンズの保持用として丸レンズ
受部８ａ、８ｂを備えた事例について説明したが、未加工レンズの対応の必要性が無い場
合には、眼鏡フレームＭＦに枠入れされた眼鏡レンズのみを被検レンズとする光学機器装
置（レンズチェッカーまたはレンズメーター）として必要な、眼鏡フレーム受部７ａ、７
ａとノーズピース受部１２を設けて構成することもでき、この場合においても言えること
は、本発明における基本的な眼鏡フレームの保持形態としての特徴である、眼鏡フレーム
の眼鏡ヅル（テンプル）ＭＴを上方に向けた状態のまま機械的に保持可能であることと相
俟って、従来多用されていた突設型のレンズ載置台の廃止に伴う光学機器装置の高さ方向
の寸法の低床化を果し、装置全体としての小型コンパクト化を発揮できる効果を奏するこ
とができることは言うまでもない。
【００２９】
更に付言するならば、以上詳述した図２に示した実施例では、光学機器装置として観察
光学系を備えたレンズチェッカーの場合を例示したが、光学機器装置として測定工学系を
備えたレンズメーターの場合には、未加工の丸レンズ中心位置にＹ軸方向のスライドレー
ル部材１１が存在するので、丸レンズＳＬを被検レンズとする際にその中心部分の透過光
束の障害になるため、当該中心部分の透過光束を使用するには適さないが、眼鏡フレーム
に枠入れされた眼鏡レンズを被検レンズとする場合には、上記Ｙ軸方向のスライドレール
部材１１は障害になることなく実施することが可能であるので、眼鏡フレームに枠入れさ
れた被検レンズの測定光学系を具備した光学機器装置として、先に述べた作用効果を発揮
できるものである。
【産業上の利用可能性】
【００３０】
本発明にかかる被検レンズの保持機構は、被検レンズを機械的に水平的に保持可能な保
持機構であるので、この保持機構を必要とする光学機器装置として、具体的にはレンズチ
ェッカー及びレンズメーター等として利用可能である。
【符号の説明】
【００３１】
１    眼鏡レンズ及び丸レンズ共用の保持機構
６ａ  Ｘ軸方向スライドシャフト
６ｂ  Ｘ軸方向スライドシャフト
７ａ  眼鏡レンズフレーム受部
８ａ  丸レンズ受部
８ｂ  丸レンズ受部
９    第一のＸ軸スライダー部材
１０  第二のＸ軸スライダー部材
１１  Ｙ軸方向スライドレール部材
１２  ノーズピース受部
１３  第一のＹ軸スライダー部材
１４  第二のＹ軸スライダー部材
１５  付勢バネ
１６  付勢バネ
【図１】
2020046242.tif 000003
【図２】
2020046242.tif 000004
【図３】
2020046242.tif 000005
【図４】
2020046242.tif 000006
【図５】
2020046242.tif 000007
【図６】
2020046242.tif 000008